(57)【要約】【課題】シールを球状に付着させ、取り除きやすくしたものが考えられたが、些か問題が発せしてしまった。メーカー出荷時においては、ボールペン体の出没動作の検査を行うが、この際、ボールペン体の中心軸線が軸体の中心軸線に対して少しでもずれていると、前記シールが軸体の先端開口部に接触してしまい外れてしまう。【解決手段】軸筒の先端から出没するボールペン体を備えてなり、そのボールペン体の先端にゴム状パッキンが付着されたボールペンであって、前記軸筒の出没口近傍の内面に多角形部を形成したボールペン。【選択図】  図１
2004202853.tif 000002
【特許請求の範囲】
【請求項１】
軸筒の先端から出没するボールペン体を備えてなり、そのボールペン体の先端にゴム状パッキンが付着されたボールペンであって、前記軸筒の出没口近傍の内面に多角形部を形成したことを特徴とするボールペン。
【請求項２】
軸筒の先端から出没するボールペン体を備えてなり、そのボールペン体の先端にゴム状パッキンが付着されたボールペンであって、前記軸筒の出没口の先端内面に面取り加工を施したことを特徴とするボールペン。
【発明の詳細な説明】
【０００１】
【発明の属する技術分野】
本発明は、軸筒の先端から出没するボールペン体を備えてなり、そのボールペン体の先端にゴム状パッキンが付着されたボールペンに関する。
【０００２】
【従来の技術】
球状塗布体の一部がチップ３先端開口から露出した状態で回転可能に保持されるとともに、その先端開口に前記球状塗布体を覆うようにホットメルト樹脂でシールされたボールペンが知られている。球状塗布体をシールすることによって、ユーザーの手に渡るまでの内部の塗布液の固化を防止しているのである（特許文献１参照）。
【０００３】
【特許文献１】
特開平７−２２２９５０号（段落０００７、図２）
【０００４】
【発明が解決しようとする課題】
しかしながら、前記従来技術の図２に示されるようなシール付着方法であっては、そのシールが薄いためにユーザーにとっては剥離しにくく、不愉快な思いをしてしまうことがあった。
そこで、前記シールを球状に付着させ、取り除きやすくしたものが考えられたが、些か問題が発せしてしまった。メーカー出荷時においては、ボールペン体の出没動作の検査を行うが、この際、ボールペン体の中心軸線が軸体の中心軸線に対して少しでもずれていると、前記シールが軸体の先端開口部に接触してしまい外れてしまうのである。
【０００５】
【課題を解決するための手段】
本発明は、軸筒の先端から出没するボールペン体を備えてなり、そのボールペン体の先端にゴム状パッキンが付着されたボールペンであって、前記軸筒の出没口近傍の内面に多角形部を形成したことを第１の要旨とし、軸筒の先端から出没するボールペン体を備えてなり、そのボールペン体の先端にゴム状パッキンが付着されたボールペンであって、前記軸筒の出没口の先端内面に面取り加工を施したことを第２の要旨とする。
【０００６】
【作用】
ゴム状パッキンが付着したボールペン体が多角形部によって案内され、或いは、面取り部によって引っ掛かりが阻止されると共に、ゴム状パッキンの面取り部への接触によってボールペン体の軸線が矯正される。
【０００７】
【実施例】
軸筒１は、前軸２と後軸３とから構成されているが一体成形しても良い。その前軸１の外周部にはゴム状グリップ４が挿着されている。又、軸筒１の内部には、ボールペン体５が前後動自在に配置されているが、そのボールペン体５はコイルスプリングなどの弾撥部材６によって後方に付勢されている。そのボールペン体５は、インキタンク７とそのインキタンク７の前端に圧入固定された継ぎ手８，並びに、その継ぎ手８の前端に固定されたチップ９とから構成されている。そのチップ９の先端開口部には、ボール１０が回転自在に配置されているが、そのボール１０はコイルスプリング１１によって前方に付勢されている。そして、そのチップ９の前端には、ボール１０を覆うようにゴム状パッキン１２が付着されている。そのゴム状パッキン１２は、ユーザーの手に渡るまでの塗布液の固化を防止している。尚、ゴム状パッキンの材質の代表例としては、エチレン酢酸ビニル共重合体やポリアミド、シリコン類などがある。
【０００８】
前記前軸１の前方内面には、八角形部１３が形成されているが、これに限定されることなく六角形部であって良く、十角形や十二角形部であっても良い。その八角形部１３の内接円径は前記チップ９の外径とほぼ同等か若干大径となっている。つまり、チップ９（ボールペン体５）の案内部となっており、ボールペン体５の軸線と軸筒１の軸線とを合致させるものとなっている。又、八角形部１３の前方には、チップ９が出没する開口部１４が形成されており、その開口部１４の内径は前記ゴム状パッキン１２の外径よりも若干大径となっている。具体的には、ゴム状パッキン１２の寸法バラツキの最大外径とほぼ同等となっている。
【０００９】
前記軸筒１の後方内面にはカム溝１５形成されており、そのカム溝１５には回転子１６が摺動自在に配置されている。その回転子１６の前端部には前記ボールペン体５の後端部が当接している。又、その回転子１６の後部にはノック部材１７が配置されているが、そのノック部材１７も前記カム溝１５に係合している。所謂、出没機構の代表的な例であるデビットカム機構が配置されている。符合１８はクリップ１９が形成された尾冠であって、前記軸筒１の後端部に圧入・固定されている。
【００１０】
変形例を図６に示し説明する。前記開口部１４の先端内面に円錐状の傾斜面２０を設けた例である。この開口部１４も前記例と同様に、ゴム状パッキンの外径と同様な内径を有している。該構成によると、ボールペン体５の軸線が軸筒１の軸線に対して偏心していると、ゴム状パッキンは傾斜面２０に当接するが、その傾斜面２０の傾斜に沿ってボールペン体５が矯正され、前記軸筒１の軸線と合致するのである。
【００１１】
【発明の効果】
本発明は、軸筒の先端から出没するボールペン体を備えてなり、そのボールペン体の先端にゴム状パッキンが付着されたボールペンであって、前記軸筒の出没口近傍の内面に多角形部を形成したことを第１の要旨とし、軸筒の先端から出没するボールペン体を備えてなり、そのボールペン体の先端にゴム状パッキンが付着されたボールペンであって、前記軸筒の出没口の先端内面に面取り加工を施したことを第２の要旨としたので、メーカ検査時には外れにくく、又、ユーザーにとっては外しやすいボールペンを提供することができる。
【図面の簡単な説明】
【図１】本発明を示す縦断面図。
【図２】図１のボールペン体を除いた拡大図。
【図３】図２の横断面図。
【図４】図１の外観図。
【図５】ボールペン体の収納状態を示す縦断面図。
【図６】変形例を示す要部拡大縦断面図。
【符号の説明】
１    軸筒
２    前軸
３    後軸
４    グリップ
５    ボールペン体
６    弾撥部材
７    インキタンク
８    継ぎ手
９    チップ
１０    ボール
１１    コイルスプリング
１２    ゴム状パッキン
１３    八角形部
１４    開口部
１５    カム溝
１６    回転子
１７    ノック部材
１８    尾冠
１９    クリップ
２０    傾斜面
【図１】
2004202853.tif 000003
【図２】
2004202853.tif 000004
【図３】
2004202853.tif 000005
【図４】
2004202853.tif 000006
【図５】
2004202853.tif 000007
【図６】
2004202853.tif 000008